(57)【要約】【課題】良好な印刷を行うことのできる印刷装置及び印刷方法を提供する。【解決手段】印刷対象の印刷領域に印刷を施す印刷ヘッド４１と、印刷対象と印刷対象に隣接する非印刷対象とを含む領域内の印刷準備済の状態の印刷対象領域の現状の輪郭である現状輪郭Ｃｂを検出する爪情報検出部８１２と、印刷対象の印刷が施される予定の印刷予定領域の輪郭である印刷予定輪郭ＣｔとＣｂとを比較して設定値以上の差異があるか否かを判定する輪郭比較判定部８１３と、輪郭比較判定部８１３により判定された差異が設定値以上である場合にユーザに報知する報知手段としての表示部２３と、を備えている。【選択図】図３
2020156576.tif 000002
【特許請求の範囲】
【請求項１】
印刷対象の印刷領域に印刷を施す印刷部と、
前記印刷対象と、前記印刷対象に隣接する非印刷対象と、を含む領域内の印刷準備済の状態の印刷対象領域の現状の輪郭である現状輪郭を検出する輪郭検出部と、
前記印刷対象の印刷が施される予定の印刷予定領域の輪郭である印刷予定輪郭と、前記現状輪郭と、を比較して設定値以上の差異があるか否かを判定する輪郭比較判定部と、
前記輪郭比較判定部により判定された差異が設定値以上である場合にユーザに報知する報知手段と、
を備えることを特徴とする印刷装置。
【請求項２】
前記印刷対象と前記非印刷対象は、それぞれ爪の表面と前記爪を有する指の表面であり、
前記印刷予定領域は、前記爪の表面の爪領域内の全面又はその一部の、ユーザが所望するネイルデザインに対応する領域であり、
前記印刷対象領域は、前記爪及び前記指の表面のうち下地が塗布された下地領域であって、
前記輪郭比較判定部は、前記印刷予定輪郭及び前記現状輪郭に設定される外接矩形の縦長及び横幅の縦横比を比較して、両者の縦横比が設定値以上異なる場合に前記差異が設定値以上であると判定することを特徴とする請求項１に記載の印刷装置。
【請求項３】
前記印刷対象と前記非印刷対象は、それぞれ爪の表面と前記爪を有する指の表面であり、
前記印刷予定領域は、前記爪の表面の爪領域内の全面又はその一部の、ユーザが所望するネイルデザインに対応する領域であり、
前記印刷対象領域は、前記爪及び前記指の表面のうち下地が塗布された下地領域であって、
前記輪郭比較判定部は、前記印刷予定輪郭及び前記現状輪郭に設定される外接矩形同士の縦長及び横幅を比較して、縦長及び横幅のいずれか一方でも前記下地領域の輪郭の方が設定値以上大きい場合には、前記差異が設定値以上であると判定することを特徴とする請求項１に記載の印刷装置。
【請求項４】
前記爪の爪情報を記憶する記憶部を更に備え、
前記記憶部は、前記輪郭検出部により検出された前記爪領域の輪郭を登録輪郭として記憶することを特徴とする請求項２又は請求項３に記載の印刷装置。
【請求項５】
前記印刷部の動作を制御する印刷制御部を更に備え、
前記印刷制御部は、前記印刷部に、前記輪郭比較判定部による判定結果に基づいて設定される前記印刷領域に印刷を施させることを特徴とする請求項１から請求項４のいずれか一項に記載の印刷装置。
【請求項６】
前記印刷予定領域は、爪の表面であってフレンチネイルを施す予定である爪先の領域であることを特徴とする請求項１から請求項５のいずれか一項に記載の印刷装置。
【請求項７】
前記輪郭比較判定部により判定された前記差異が設定値以上である場合に前記現状輪郭の補正をユーザに促す表示画面を表示させる表示部をさらに備えていることを特徴とする請求項１から請求項６のいずれか一項に記載の印刷装置。
【請求項８】
印刷対象の印刷領域に印刷を施す印刷装置の印刷方法であって、
前記印刷対象と、前記印刷対象に隣接する非印刷対象と、を含む領域内の印刷準備済の状態の印刷対象領域の現状の輪郭である現状輪郭を検出し、
前記印刷対象の印刷が施される予定の印刷予定領域の輪郭である印刷予定輪郭と、前記現状輪郭とを比較して設定値以上の差異があるか否かを判定して、
判定された前記差異が設定値以上である場合にユーザに報知することを特徴とする印刷方法。
【発明の詳細な説明】
【技術分野】
【０００１】
本発明は、印刷装置及び印刷方法に関するものである。
【背景技術】
【０００２】
従来、印刷装置において、人の爪等の印刷対象に好みのネイルデザインを印刷するネイルプリント装置等が知られている（例えば、特許文献１参照）。
このような装置を用いれば、ネイルサロン等を利用することなく、手軽にネイルプリントを楽しむことができる。
【０００３】
爪等の印刷対象に印刷を行う場合、印刷を行う領域（これを「印刷領域」という。）の輪郭を正しく検出しなければ、美しいネイルプリントを行うことができない。
この点、爪等に印刷する場合には、発色をよくする等のため、印刷対象である爪の表面に白色等の下地を予め塗布する場合がある。
爪等に下地が塗布された場合、下地が塗布された領域（下地領域）が印刷を行うべき印刷対象領域として検出される。
【先行技術文献】
【特許文献】
【０００４】
【特許文献１】特表２００３−５３４０８３号公報
【発明の概要】
【発明が解決しようとする課題】
【０００５】
しかしながら、下地の塗布がユーザの手塗りで行われた場合、誤って爪の領域からはみ出してしまったり、逆に塗残しが生じる場合がある。
また、爪の表面に白色等の下地を塗布した場合、光の反射等の影響により、爪を撮影した画像を解析したときに、実際に下地の塗布されている領域よりも印刷領域が大きく認識されてしまう場合もある。
このような場合、自動的に認識された印刷領域にそのまま印刷を行うと、ネイルデザインが誤った範囲にフィッティングされてデザインが乱れてしまったり、下地の塗布されていない領域に印刷が行われたり、爪以外の皮膚部分等に印刷が行われて指が汚れてしまう等のおそれがあり、良好な印刷を行うことが難しいとの問題があった。
【０００６】
本発明は以上のような事情に鑑みてなされたものであり、良好な印刷を行うことのできる印刷装置及び印刷方法を提供することを利点とするものである。
【課題を解決するための手段】
【０００７】
前記課題を解決するために、本発明の印刷装置は、
印刷対象の印刷領域に印刷を施す印刷部と、
前記印刷対象と、前記印刷対象に隣接する非印刷対象と、を含む領域内の印刷準備済の状態の印刷対象領域の現状の輪郭である現状輪郭を検出する輪郭検出部と、
前記印刷対象の印刷が施される予定の印刷予定領域の輪郭である印刷予定輪郭と、前記現状輪郭と、を比較して設定値以上の差異があるか否かを判定する輪郭比較判定部と、
前記輪郭比較判定部により判定された差異が設定値以上である場合にユーザに報知する報知手段と、
を備えることを特徴としている。
【発明の効果】
【０００８】
本発明によれば、良好な印刷を行うことができる。
【図面の簡単な説明】
【０００９】
【図１】本実施形態におけるネイルプリント装置の外観構成を示す斜視図である。
【図２】ネイルプリント装置から筐体を取り外して内部構成を示した要部斜視図である。
【図３】本実施形態に係るネイルプリント装置の制御構成を示した要部ブロック図である。
【図４】（ａ）は、爪画像の一例を示す図であり、（ｂ）は、（ａ）の爪画像から検出された爪領域の輪郭の例を示す図である。
【図５】爪領域に全体用のネイルデザインを合わせ込む様子を示す説明図である。
【図６】（ａ）は、爪に全体用のネイルデザインを合わせ込んだ例を示す図であり、（ｂ）は、全体用のネイルデザインを合わせ込んだネイルデザインの外接矩形の一例を示す図である。
【図７】爪領域に部分用のネイルデザインを合わせ込む様子を示す説明図である。
【図８】（ａ）は、爪先部分に部分用のネイルデザインを合わせ込んだ例を示す図であり、（ｂ）は、部分用のネイルデザインを合わせ込んだネイルデザインの外接矩形の一例を示す図である。
【図９】（ａ）は、爪全体に正しく下地が塗布された状態を示す爪画像の一例を示す図であり、（ｂ）は、（ａ）の爪画像から検出された下地領域の輪郭の例を示す図である。
【図１０】（ａ）は、爪からはみ出した部分まで下地が塗布された状態を示す爪画像の一例を示す図であり、（ｂ）は、（ａ）の爪画像から検出された下地領域の輪郭の例を示す図である。
【図１１】（ａ）は、部分用のネイルデザインが印刷される印刷予定領域に正しく下地が塗布された場合の爪画像の一例を示す図であり、（ｂ）は、印刷予定領域からはみ出した部分まで下地が塗布された場合の爪画像の一例を示す図であり、（ｃ）は、印刷予定領域の一部を塗り残して下地が塗布された場合の爪画像の一例を示す図である。
【図１２】全体用のネイルデザインを爪に施す場合の印刷予定輪郭と現状輪郭とを比較したときに両者が等しいか後者の方が小さい場合を示す図である。
【図１３】全体用のネイルデザインを爪に施す場合の印刷予定輪郭と現状輪郭とを比較したときに後者の方が大きい場合を示す図である。
【図１４】部分用のネイルデザインを爪に施す場合の印刷予定輪郭と現状輪郭とを比較したときに両者が等しい場合を示す図である。
【図１５】部分用のネイルデザインを爪に施す場合の印刷予定輪郭と現状輪郭とを比較したときに後者が大きい場合を示す図である。
【図１６】部分用のネイルデザインを爪に施す場合の印刷予定輪郭と現状輪郭とを比較したときに後者が小さい場合を示す図である。
【図１７】本実施形態における印刷方法の概要を示すフローチャートである。
【図１８】本実施形態における印刷方法のうち、全体用のネイルデザインを印刷する場合を示すフローチャートである。
【図１９】本実施形態における印刷方法のうち、部分用のネイルデザインを印刷する場合を示すフローチャートである。
【図２０】（ａ）は、本実施形態の一変形例における印刷予定輪郭の一例を示す図であり、（ｂ）は、本実施形態の一変形例における現状輪郭の一例を示す図である。
【図２１】図２０（ａ）の印刷予定輪郭と現状輪郭とを比較したときに両者が等しいか後者の方が小さい場合を示す図である。
【図２２】図２０（ｂ）の印刷予定輪郭と現状輪郭とを比較したときに後者が大きい場合を示す図である。
【発明を実施するための形態】
【００１０】
図１から図１９を参照しつつ、本発明に係る印刷装置及び印刷方法の一実施形態について説明する。
なお、以下に述べる実施形態には、本発明を実施するために技術的に好ましい種々の限定が付されているが、本発明の範囲を以下の実施形態及び図示例に限定するものではない。
また、以下の実施形態では、印刷装置が人の爪に印刷を施すネイルプリント装置である場合を例に説明するが、本発明における印刷装置はネイルプリント装置に限定されない。また、ネイルプリント装置は、手の指の爪を印刷対象としてこれに印刷する場合を例とするが、本発明における印刷装置がネイルプリント装置である場合にその印刷対象は手の指の爪に限るものではなく、例えば足の指の爪を印刷対象としてもよい。また、ネイルチップや各種アクセサリの表面等、爪以外のものを印刷対象としてもよい。
【００１１】
図１は、本実施形態における印刷装置であるネイルプリント装置の外観斜視図である。
図１に示すように、本実施形態におけるネイルプリント装置１は、ほぼ箱形に形成された筐体２を有している。
筐体２の上面（天板）には操作部２２が設置されている。
操作部２２は、ユーザが各種入力を行う入力部である。
操作部２２には、例えば、ネイルプリント装置１の電源をＯＮする電源スイッチ釦、動作を停止させる停止スイッチ釦、爪Ｔに印刷するデザイン画像を選択するデザイン選択釦、印刷開始を指示する印刷開始釦等、各種の入力を行うための操作釦が配置されている。
また、本実施形態では、操作部１２は後述する表示部２３に設けられたタッチパネル式入力部２２２（図３及び以下の記載において単に「タッチパネル２２２」という。）を含んでいる。
【００１２】
また、筐体２の上面（天板）には表示部２３が設置されている。
表示部２３は、例えば液晶ディスプレイ（ＬＣＤ：Liquid Crystal Display）、有機エレクトロルミネッセンスディスプレイその他のフラットディスプレイ等で構成されている。
本実施形態の表示部２３の表面には、タッチパネル２２２が一体的に構成されている。タッチパネル２２２は、例えば、指先やスタイラスペン（以下、単に「ペン」という。）又は先の尖った棒状の筆記具等の入力部材によって表示部２３の表面をタッチするタッチ操作によって各種の入力を行うことができるように構成されたものであり、操作部２２として機能する。
【００１３】
本実施形態において、この表示部２３には、例えば、指Ｕ（図４（ａ）等参照）を撮影して得た爪画像（すなわち、爪Ｔの画像を含む指Ｕの画像）、この爪画像中に含まれる爪の輪郭等の画像、爪に印刷すべきネイルデザインを選択するためのデザイン選択画面、デザイン確認用のサムネイル画像、各種の指示を表示させる指示画面、告知画面、警告画面等が適宜表示される。
特に本実施形態では、後述するように輪郭比較判定部８１３が、印刷予定輪郭Ｃｒ，Ｃｄ（図６（ａ）、図８（ａ）等参照）と現状輪郭Ｃｂ（図９（ｂ）、図１１（ａ）等参照）とを比較して設定値以上の差異があるか否かを判定するようになっており、表示部２３は、輪郭比較判定部８１３により判定された差異が設定値以上である場合にユーザに報知する報知手段として機能する。
また、輪郭比較判定部８１３により判定された差異が設定値以上である場合、表示部２３には、現状輪郭Ｃｂの補正をユーザに促す表示画面が表示されてもよい。
さらに、表示部２３がタッチパネル２２２として機能する場合、爪Ｔの輪郭（爪領域の輪郭、登録輪郭Ｃｒ）や後述する下地領域（現状輪郭Ｃｂ）等を自動認識した場合に、表示部２３には、当該認識結果を修正するための爪輪郭修正画面等が表示され、ユーザがペン等を用いて画面上で手動にて修正できるようにしてもよい。
【００１４】
また、筐体２の前面側（図１において手前側）であって、ネイルプリント装置１のＸ方向（図１においてＸ方向）のほぼ中央部には、ネイルプリント装置１による撮影時や印刷部４０による印刷動作時に印刷対象である爪に対応する指を挿入し、撮影部５０による撮影が可能な撮影可能位置、印刷部４０による印刷が可能な印刷位置に爪をセットするための開口部２４が形成されている。
開口部２４の内側には、後述するように、爪Ｔを有する指Ｕ（図４等参照）を固定する指固定機構３が配置されている。
【００１５】
図２は、図１に示すネイルプリント装置１から筐体２を外してネイルプリント装置１の内部構成を示した要部斜視図である。
図２に示すように、筐体２内には、各種の内部構造物が組み込まれた基台１０が設けられている。
基台上面２０における装置手前側（図２におけるＹ方向手前側）であって、装置の幅方向（図２におけるＸ方向）のほぼ中央部であり、筐体２の開口部２４に対応する位置には、指固定機構３が配置されている。
【００１６】
指固定機構３は、印刷対象である爪Ｔを有する指Ｕを安定的に保持する機構を有する。
指固定機構３は、装置手前側に開口部３１を有する箱状の部材であり、指固定機構３内部には指を固定する指固定部材３２が配置されている。
指固定部材３２は、指Ｕを下側から押し上げ支持するものであり、例えば柔軟性を有する樹脂等で形成されている。本実施形態では、指固定部材３２は、幅方向（図２におけるＸ方向）のほぼ中央部が窪んだ形状となっており、指Ｕを指固定部材３２上に載置した際に、指Ｕの腹部分を指固定部材３２が受けて、装置幅方向（図１及び図２におけるＸ方向）に指ががたつくのを防止することができる。
【００１７】
指固定機構３の天面奥側は開口する窓部３３となっている。窓部３３からは指固定機構３内に挿入された指Ｕの爪Ｔが露出するようになっている。
また、指固定機構３の天面手前側は指の浮き上がりを防止して指Ｕの上方向の位置を規制する指押え部３４となっている。
さらに、本実施形態では、指挿入方向の奥側には、印刷対象である爪Ｔの先端部分を載置させて爪Ｔの高さ方向の位置を規制する爪載置部３５が設けられている。爪載置部３５の上面に爪Ｔの先を載置させることにより、爪Ｔの水平方向（すなわち、Ｘ方向及びＹ方向）の位置が規定されるとともに、その高さ方向の位置も規制される。
なお、指固定機構３は、装置内から取り外せるように、着脱自在に構成されていてもよい。
【００１８】
また、筐体２の内部には、印刷対象面（すなわち、印刷対象である爪Ｔの表面）に印刷を施す印刷部４０が設けられている。
印刷部４０は、後述する輪郭比較判定部８１３による判定結果に基づいて設定される印刷領域に印刷を施す。
印刷部４０は、印刷ヘッド４１、印刷ヘッド４１を支持するヘッドキャリッジ４２、印刷ヘッド４１をＸ方向（図１及び図２等におけるＸ方向、ネイルプリント装置１の左右方向）に移動させるための移動機構を構成するＸ方向移動モータ４６（図３参照）、印刷ヘッド４１をＹ方向（図１及び図２等におけるＹ方向、ネイルプリント装置１の前後方向）に移動させるためのＹ方向移動ステージ４７及びＹ方向移動モータ４８（図３参照）等を備えている。
【００１９】
本実施形態において印刷ヘッド４１（印刷ヘッド４１を支持するヘッドキャリッジ４２）は、Ｘ方向（図１及び図２等におけるＸ方向、ネイルプリント装置１の左右方向）に延在するガイド軸４５５（図２参照）に摺動可能に取り付けられている。
また、印刷ヘッド４１（印刷ヘッド４１を支持するヘッドキャリッジ４２）は、基台１０における装置幅方向（図１及び図２等におけるＸ方向、ネイルプリント装置１の左右方向）の両側部に、それぞれＹ方向（図１及び図２等におけるＹ方向、ネイルプリント装置１の前後方向）に延在して設けられたＹ方向移動ステージ４７上をガイド軸４５５に支持されたままＹ方向に沿って移動可能に構成されている。
【００２０】
本実施形態の印刷ヘッド４１は、インクジェット方式で印刷を行うインクジェットヘッドである。
印刷ヘッド４１は、例えば、イエロー（Ｙ；YELLOW）、マゼンタ（Ｍ；MAGENTA）、シアン（Ｃ；CYAN）のインクに対応する図示しないインクカートリッジと各インクカートリッジにおける印刷対象（爪Ｔの表面）に対向する面に設けられた図示しないインク噴射面とが一体に形成されたインクカートリッジ一体型のヘッドである。インク噴射面には、それぞれの色のインクを噴射する複数のノズルからなるノズルアレイの噴射口（インク噴射口、図示せず）が列状に形成されている。印刷ヘッド４１は、インクを微滴化し、インク噴射面（インク噴射面のインク噴射口）から爪の表面に対して直接にインクを吹き付けて印刷を行う。なお、印刷ヘッド４１は、上記３色のインクを噴射させるものに限定されない。その他のインクを貯留するインクカートリッジ及びインク噴射口を備えていてもよい。
【００２１】
本実施形態では、Ｘ方向移動モータ４６とＹ方向移動モータ４８等により印刷ヘッド４１をＸＹ平面上においてＸ方向及びＹ方向に移動可能なヘッド移動機構４９（図３参照）が構成されており、ヘッド移動機構４９は、後述する制御装置８０（特に印刷制御部８１５、図３参照）によりその動作が制御される。
【００２２】
また、本実施形態では、印刷ヘッド４１を支持するヘッドキャリッジ４２の一部に撮影部５０が取り付けられている。具体的には、ヘッドキャリッジ４２の上面が側方に一部張り出しており、当該張り出し部分の下側面に、撮影部５０が設けられている。
撮影部５０は、爪Ｔを撮影して、爪Ｔを含む指Ｕの画像である爪画像を取得する撮影手段である。撮影部５０は、撮影装置５１と、照明装置５２とを備えている。
本実施形態の撮影部５０は、指Ｕを指固定機構３に固定し、爪先を爪載置部３５に載置した状態で、照明装置５２で爪Ｔを照明して、撮影装置５１によって撮影する。
この撮影部５０は、後述する制御装置８０の撮影制御部８１１（図３参照）に接続され、該撮影制御部８１１によって制御されるようになっている。
なお、撮影部５０によって撮影された画像の画像データは、後述する爪情報記憶領域８２２等に記憶されてもよい。
本実施形態の撮影部５０は、Ｘ方向移動モータ４６とＹ方向移動モータ４８等で構成されるヘッド移動機構４９により、Ｘ方向及びＹ方向に移動可能に構成されている。
なお、撮影部５０は、指固定機構３内に配置されている爪Ｔを撮影できるものであればよく、その具体的な配置等は特に限定されない。
ヘッド移動機構４９とは別に撮影部５０をＸ方向及びＹ方向に移動させる移動機構を設け、この移動機構により撮影部５０が移動するように構成してもよい。また、撮影部５０は、筐体２の上面（天板）の内側であって、指固定機構３の窓部３３の上方位置等に固定配置されていてもよい。
【００２３】
制御装置８０は、例えば筐体２天面の下面側（すなわち、装置内側面）等に配置された図示しない基板等に設置されている。なお基板は筐体２天面の下面側等に配置されたメインの基板の他に、Ｘ方向移動ステージ４５やヘッドキャリッジ４２等にも分散して設けられていてもよく、この場合には、これら複数の基板同士が電気的に接続されることで各部が統括的に制御され、連係して動作するように構成される。
図３は、本実施形態における制御構成を示す要部ブロック図である。
制御装置８０は、図３に示すように、図示しないＣＰＵ（Central Processing Unit）等により構成される制御部８１と、ＲＯＭ（Read Only Memory）及びＲＡＭ（Random Access Memory）等（いずれも図示せず）で構成される記憶部８２とを備えるコンピュータである。
【００２４】
記憶部８２には、ネイルプリント装置１を動作させるための各種プログラムや各種データ等が格納されている。
具体的には、記憶部８２には、例えば爪画像から爪Ｔの形状や爪Ｔ（爪領域）の輪郭（印刷予定輪郭）、爪Ｔの幅、爪Ｔの曲率等の各種の爪情報を検出するための爪情報検出プログラム、印刷予定輪郭と現状輪郭とを比較判定する輪郭比較判定プログラム、印刷用データを生成するための印刷データ生成プログラム、印刷処理を行うための印刷プログラム等の各種プログラムが格納されており、これらのプログラムが制御装置８０によって実行されることによって、ネイルプリント装置１の各部が統括制御されるようになっている。
【００２５】
また、本実施形態の記憶部８２には、爪Ｔに印刷されるネイルデザインの画像データを記憶するネイルデザイン記憶領域８２１、撮影部５０によって取得されたユーザの爪Ｔの爪画像や爪画像を解析することで得られた各種の爪情報（爪Ｔの輪郭や爪Ｔの幅、爪Ｔの傾斜角度（爪Ｔの曲率）等）を記憶する爪情報記憶領域８２２等が設けられている。
爪情報記憶領域８２２は、爪Ｔの輪郭として既に登録されている登録輪郭Ｃｒ等（図４（ｂ）等参照）を記憶する。
本実施形態において、印刷予定領域は、爪Ｔの表面である爪領域の全面又はその一部であり、ネイルデザインが合わせ込まれた爪Ｔの領域である。
例えば、爪Ｔの表面に全体用のネイルデザイン（図５のネイルデザインＤａ等）を印刷する場合には、爪領域の全面が印刷予定領域となる。具体的には、ユーザが印刷したいネイルデザインＤａが爪全体に印刷されるデザインである場合（図６（ａ）参照）には、ネイルデザインＤａが配置される爪全体の領域が印刷予定領域となり、この時の印刷予定領域の輪郭は登録輪郭Ｃｒと一致する。また、爪領域の一部に部分用のネイルデザイン（図７のネイルデザインＤｆ等）を印刷する場合には、当該部分が印刷予定領域となる。具体的には、ユーザが印刷したいネイルデザインＤｆが爪先のみに印刷されるフレンチネイルである場合（図８（ａ）参照）には、ネイルデザインＤｆが配置される爪先部分が印刷予定領域となる。
【００２６】
制御部８１は、機能的に見た場合、撮影制御部８１１、爪情報検出部８１２、輪郭比較判定部８１３、印刷データ生成部８１４、印刷制御部８１５、表示制御部８１６等を備えている。これら撮影制御部８１１、爪情報検出部８１２、輪郭比較判定部８１３、印刷データ生成部８１４、印刷制御部８１５、表示制御部８１６等としての機能は、制御部８１のＣＰＵと記憶部８２に記憶されたプログラムとの協働によって実現される。
【００２７】
撮影制御部８１１は、撮影部５０の撮影装置５１及び照明装置５２を制御して撮影装置５１により、指固定機構３に固定された指Ｕの爪Ｔの画像を含む指Ｕの画像（爪画像）を撮影させるものである。
本実施形態では、撮影制御部８１１は、撮影部５０を制御して下地を塗布する前の爪Ｔを撮影して爪画像を取得させる。また、爪Ｔの表面に下地を塗布した後、例えば実際の印刷を行う直前に現状の爪Ｔを撮影させて、現状の爪画像を取得させる。
撮影部５０により取得された爪画像の画像データは、記憶部８２の爪情報記憶領域８２２に記憶されてもよい。
【００２８】
爪情報検出部８１２は、撮影装置５１によって撮影された爪画像に基づいて爪情報を検出するものである。
ここで、爪情報とは、例えば、爪Ｔの水平位置のＸＹ座標等、爪Ｔの高さ（爪Ｔの垂直方向の位置、爪Ｔの垂直位置）、爪Ｔの曲率（湾曲度合）等である。なお、爪情報はここに例示したものに限定されない。
また本実施形態では、爪情報検出部８１２は、爪Ｔの輪郭（爪領域の輪郭、爪形状）を検出する輪郭検出部として機能する。
これらの爪情報は、爪情報検出部８１２が爪画像を解析することにより検出される。解析の具体的な手法は特に限定されず、各種の画像解析の手法を適用することができる。
爪情報検出部８１２によって検出された結果である爪情報は、記憶部８２の爪情報記憶領域８２２に記憶される。
【００２９】
具体的には、爪情報検出部８１２は、印刷予定領域であるユーザの爪Ｔ（爪Ｔの表面）の全部の輪郭を、下地等が塗布される前に予め検出する。爪情報検出部８１２によって予め検出された爪Ｔの輪郭は、登録輪郭（登録輪郭Ｃｒ、図４（ｂ）等参照）として爪情報記憶領域８２２に記憶される。また、ネイルデザインＤｆが爪Ｔに合わせ込まれた場合には、爪情報検出部８１２は、ネイルデザインＤｆが合わせ込まれたユーザの爪Ｔの一部の輪郭を、印刷予定領域として下地等が塗布される前に検出する。なお、ここで検出された輪郭の情報は爪情報記憶領域８２２に記憶されなくてもよい。
例えば、ユーザの指Ｕが、図４（ａ）に示すような爪Ｔを有する指Ｕの場合、爪情報検出部８１２は、図４（ｂ）に示すように、爪領域を画する爪Ｔの輪郭（登録輪郭Ｃｒ）を検出する。
爪情報検出部８１２による爪Ｔの輪郭の検出は、例えば爪画像を解析して、爪Ｔとそれ以外の指Ｕの皮膚部分等との色や明度の違い等を検出することで行われる。なお、検出の手法は特に限定されない。各種のパターンマッチング等を用いてもよい。爪Ｔの輪郭の検出は、左右の手の１０本の指Ｕについて行い、それぞれ指種等と対応付けて爪情報記憶領域８２２に記憶されることが好ましい。
【００３０】
また、本実施形態では、爪情報検出部８１２は、この爪領域の外周（爪Ｔの輪郭）に接する外接矩形（図６（ｂ）等における外接矩形Ｆｔ等）を設定する。そして、外接矩形Ｆｔにおける爪幅方向の長さ（横幅）を「ｔｗ」、爪Ｔの伸びる方向（爪Ｔの付け根から爪先まで）の長さ（縦長、爪長）を「ｔｌ」としてそれぞれの値を爪情報記憶領域８２２に記憶させる。
【００３１】
なお、爪情報記憶領域８２２に記憶させる対象は外接矩形の横幅ｔｗ及び縦長（爪長）ｔｌに限定されない。例えば、外接矩形の縦横比（例えばｔｌ／ｔｗ）でもよいし、爪Ｔの輪郭そのもの（輪郭（登録輪郭Ｃｒ）を構成する個々の点の座標位置）等であってもよい。さらに、ユーザが爪Ｔに印刷したいネイルデザインとして全体用のネイルデザイン（図５のネイルデザインＤａ等）を選択し、当該ネイルデザインＤａの爪Ｔへの合わせ込みが行われた場合には、ネイルデザインＤａの輪郭や、当該輪郭に接する外接矩形が爪情報記憶領域８２２に記憶されてもよい。爪情報記憶領域８２２に記憶させる対象はこれらの各情報のうちの一部であってもよいし、全部であってもよい。
また、登録輪郭Ｃｒやその外接矩形Ｆｔ等は、どのようなタイミングで取得されたものでもよい。例えば、ネイルプリント装置１をユーザが入手して、初期設定の１つとして、ユーザの爪Ｔの輪郭を検出し、左右どちらのどの指であるかの指種等と対応付けて記憶（登録）させてもよい。１台のネイルプリント装置１を複数人で使用する場合であれば、ユーザを区別する情報も対応付けておく。
【００３２】
爪Ｔの全体に印刷を施す場合（例えばユーザが選択したネイルデザインＤａが爪の全体に印刷するデザインである場合）には、爪情報検出部８１２は、印刷予定輪郭Ｃｔとして、爪領域のネイルデザインＤａが施される印刷予定領域の輪郭を検出する。
この場合、ユーザが爪Ｔに施したいネイルデザインとしてネイルデザインＤａを選択すると、爪情報検出部８１２は、爪領域のネイルデザインＤａの印刷が施される印刷予定領域の輪郭（印刷予定輪郭Ｃｔ）として、登録輪郭Ｃｒを爪情報記憶領域８２２から読みだす。
この時に、図５に示すように、制御装置８０がネイルデザインＤａをユーザの印刷したい爪Ｔに合わせ込み、図６（ａ）に示すように、爪全体にネイルデザインＤａが乗るようにユーザによりサイズや向き等が調整されてもよい。
【００３３】
また、爪情報検出部８１２は、このネイルデザインＤａが配置される領域（印刷予定領域）の外周（爪Ｔの輪郭）に接する外接矩形（図６（ｂ）等における外接矩形Ｆｔ、なお、図６（ｂ）等ではネイルデザインＤａが配置される爪Ｔの部分を二点鎖線で示している。）を設定する。そして、この外接矩形Ｆｔにおける爪幅方向の長さ（横幅）を「ｔｗ」、これに直交する縦方向の長さ（縦長）を「ｔｌ」としてそれぞれの値を検出する。
【００３４】
なお、爪Ｔの一部にしか印刷を施さない場合（例えばユーザが選択したネイルデザインＤｆが爪先のみに印刷するフレンチネイルである場合）には、爪情報検出部８１２は、印刷予定輪郭Ｃｄとして、爪領域のうちネイルデザインＤｆが施される印刷予定領域の輪郭を検出する。
この場合、ユーザが爪Ｔに施したいネイルデザインとしてフレンチネイル用のネイルデザインＤｆを選択すると、図７に示すように、まず、制御装置８０が当該ネイルデザインＤｆをユーザの印刷したい爪Ｔに合わせ込み、ユーザはサイズや向き等を調整する。
具体的には、ネイルデザインＤｆをユーザの爪Ｔの爪先側から合わせ込み、図８（ａ）に示すように、爪先側に隙間が空かないように配置したときのネイルデザインＤｆの輪郭を検出し、印刷予定輪郭Ｃｄとして検出する。
【００３５】
また、爪情報検出部８１２は、このネイルデザインＤｆが配置される領域（印刷予定領域）の外周（爪Ｔに合わせ込まれたネイルデザインＤｆの輪郭）に接する外接矩形（図８（ｂ）等における外接矩形Ｆｄ、なお、図８（ｂ）等ではネイルデザインＤｆが配置される爪Ｔの部分を二点鎖線で示している。）を設定する。そして、この外接矩形Ｆｄにおける爪幅方向の長さ（横幅）を「ｄｗ」、これに直交する縦方向の長さ（縦長）を「ｄｌ」としてそれぞれの値を検出する。
【００３６】
また、本実施形態の爪情報検出部８１２は、輪郭検出部として、印刷時点における印刷対象領域の現状の輪郭である現状輪郭Ｃｂを検出する。
印刷対象領域の現状の輪郭とは、例えば爪Ｔに下地を塗布した場合には、爪Ｔの表面のうち下地を塗布された下地領域Ｂの輪郭である。
【００３７】
爪Ｔに印刷した際の発色をよくする等のために、本実施形態では、印刷前に、印刷予定領域（すなわち、全体用のネイルデザインＤａを施す場合には爪全体、部分用のネイルデザインＤｆを施す場合には爪先等のネイルデザインＤｆが設定される部分）に下地として、白色又はそれに近い色のインクを塗布する（図９（ａ）、図１１（ａ）等参照）。下地を塗布する手法は特に限定されないが、例えばユーザがペンや筆等を用いて手動で行う。
爪Ｔは周りの皮膚等と近い色であるため、そのままでは爪画像を解析しても検出しづらいが、爪Ｔに白色等の下地を塗布することで、周囲との識別がしやすくなる。このため、下地が塗布された状態において、印刷時点における印刷対象領域の現状輪郭Ｃｂを検出することで、爪領域の検出精度を向上させることができる。
【００３８】
しかし、前記のように下地の塗布はユーザが手動で行うため、図９（ａ）及び図９（ｂ）（全体用のネイルデザインＤａを施す場合）や図１１（ａ）（部分用のネイルデザインＤｆを施す場合）に示すように、印刷予定領域内に過不足なく正しく塗布できるとは限らない。
例えば、爪Ｔの全域に全体用のネイルデザインＤａを施したい場合に、図１０（ａ）及び図１０（ｂ）に示すように、正しい下地領域Ｂ（Ｂｒ）の他に、爪Ｔの縦方向（すなわち、爪Ｔの付け根方向）や横方向である非印刷対象に、はみ出して塗布されたはみ出し領域Ｂｏが生じる場合がある。
この場合、輪郭検出部としての爪情報検出部８１２は、正しい下地領域Ｂ（Ｂｒ）とはみ出し領域Ｂｏとを合わせた下地領域Ｂの輪郭を現状輪郭Ｃｂとして検出してしまう（図１０（ｂ）参照）。
【００３９】
また、例えば、爪Ｔの一部に部分用のネイルデザインＤｆを施したい場合にも、図１１（ｂ）に示すように、正しい下地領域Ｂ（Ｂｒ）の他に、縦方向（すなわち、爪Ｔの付け根方向）等にはみ出して塗布されたはみ出し領域Ｂｏが生じる場合がある。
この場合、輪郭検出部としての爪情報検出部８１２は、正しい下地領域Ｂ（Ｂｒ）とはみ出し領域Ｂ（Ｂｏ）とを合わせた下地領域Ｂの輪郭を現状輪郭Ｃｂとして検出してしまう。
また逆に、図１１（ｃ）に示すように、一部に塗残し領域Ｂｎが生じてしまった場合には、輪郭検出部としての爪情報検出部８１２は、図１１（ａ）に示す正しく下地が塗布された場合の下地領域Ｂ（Ｂｒ）と比較して、狭い下地領域Ｂ（すなわち、Ｂｒ−Ｂｎの領域）の輪郭を現状輪郭Ｃｂとして検出してしまう。
【００４０】
さらに、下地が正しい下地領域Ｂ（Ｂｒ）のみに正しく塗布された場合でも、下地領域Ｂを爪画像から検出する際に、爪情報検出部８１２が当該領域を誤認識する場合もある。
爪情報検出部８１２が誤認識する原因としては、例えば下地が白色等であるために、撮影部５０が爪Ｔ（爪Ｔを含む指Ｕ）を撮影した際に照明装置５２の光が爪Ｔの表面で反射すること等により、実際の領域よりも広い範囲が白く光ってしまい、爪情報検出部８１２が、反射によって白く見えている部分までを下地領域Ｂとして認識してしまうこと等が考えられる。
この場合には、実際より広く誤認識された下地領域Ｂの輪郭が現状輪郭Ｃｂとして検出されてしまう。本実施形態では、現状輪郭Ｃｂが印刷予定輪郭Ｃｔ，Ｃｄとほぼ等しいかに関わらず、爪Ｔに白色等の下地が塗布された状態を印刷準備済の状態とする。
【００４１】
輪郭比較判定部８１３は、ネイルデザインＤａ又はネイルデザインＤｆに基づく印刷予定輪郭Ｃｔ（登録輪郭Ｃｒ）又は印刷予定輪郭Ｃｄと、輪郭検出部である爪情報検出部８１２により検出された現状輪郭Ｃｂと、を比較して設定値以上の差異があるか否かを判定する。
本実施形態において、輪郭比較判定部８１３は、印刷予定輪郭Ｃｔ，Ｃｄに設定される外接矩形Ｆｔ，Ｆｄの縦長ｔｌ，ｄｌ及び横幅ｔｗ，ｄｗと現状輪郭Ｃｂである下地領域の輪郭に設定される外接矩形Ｆｂの縦長ｂｌ及び横幅ｂｗとを比較して、縦長ｂｌ及び横幅ｂｗのいずれか一方でも下地領域の輪郭（現状輪郭Ｃｂ）の方が設定値以上大きい場合には、差異が設定値以上であると判定する。
なお、外接矩形Ｆｔ，Ｆｄは、爪情報検出部８１２によって設定されてもよいし、爪情報検出部８１２によって検出された輪郭に基づいて、輪郭比較判定部８１３が設定してもよい。
【００４２】
すなわち、爪Ｔの全域に全体用のネイルデザインＤａを施したい場合、図１２に示すように、爪Ｔの輪郭である印刷予定輪郭Ｃｔ（すなわち登録輪郭Ｃｒ）に設定される外接矩形Ｆｔの縦長ｔｌと現状輪郭Ｃｂに設定される外接矩形Ｆｂの縦長ｂｌ同士、及び外接矩形Ｆｔの横幅ｔｗと外接矩形Ｆｂの横幅ｂｗ同士を比較する。そして、縦長ｂｌ及び横幅ｂｗがいずれも縦長ｔｌ及び横幅ｔｗと同じかこれよりも小さい場合には、輪郭比較判定部８１３は、差異が設定値より小さいと判定する。なお、縦長ｂｌ及び横幅ｂｗのいずれか一方が縦長ｔｌ及び横幅ｔｗよりも設定値以上小さい場合にも設定値以上の差異があると判定してもよい。
これに対して、図１３に示すように、縦長ｂｌ及び横幅ｂｗのいずれか一方でも縦長ｔｌ及び横幅ｔｗよりも設定値以上大きい場合には、設定値以上の差異があると判定する。
図１３では、差異を「α」で表しており、縦長ｂｌ及び横幅ｂｗのいずれも「α」だけ差異がある場合を示している。
輪郭比較判定部８１３が、差異が設定値より小さい（すなわち本実施形態では、縦長ｂｌ及び横幅ｂｗがいずれも縦長ｔｌ及び横幅ｔｗと同じかこれよりも小さい）と判定した場合には、図５に示すように、爪Ｔ全体の現状輪郭Ｃｂに全体用のネイルデザインＤａを合わせ込んで印刷を行うことで、指Ｕにインクがはみ出すことなく、所望のネイルデザインＤａを爪Ｔに印刷することができる。
【００４３】
また、爪Ｔの一部分に部分用のネイルデザインＤｆを施したい場合、図１４に示すように、ネイルデザインＤｆの輪郭である印刷予定輪郭Ｃｄに設定される外接矩形Ｆｄの縦長ｄｌと現状輪郭Ｃｂに設定される外接矩形Ｆｂの縦長ｂｌ同士、及び外接矩形Ｆｄの横幅ｄｗと外接矩形Ｆｂの横幅ｂｗ同士を比較して、縦長ｂｌ及び横幅ｂｗがいずれも縦長ｄｌ及び横幅ｄｗと同じ場合には、輪郭比較判定部８１３は、差異が設定値より小さい（両者はほぼ同じである）と判定する。
これに対して、図１５に示すように、縦長ｂｌ（又は横幅ｂｗ）が縦長ｄｌ（又は横幅ｄｗ）よりも設定値以上大きい場合には、差異が設定値以上であると判定する。
さらに、図１６に示すように、横幅ｂｗ（又は縦長ｂｌ）が横幅ｄｗ（又は縦長ｄｌ）よりも設定値以上小さい場合にも、差異（差異の絶対値）が設定値以上であると判定する。
輪郭比較判定部８１３が、差異が設定値より小さいと判定した場合には、図８（ａ）に示すように、現状輪郭ＣｂにネイルデザインＤｆを合わせ込んで印刷を行うことで、下地の塗布されている領域内に収まるように所望のネイルデザインＤｆを爪Ｔの所定の領域（例えばフレンチネイルなら爪先の領域）に印刷することができる。
【００４４】
図１５では、現状輪郭Ｃｂに設定される外接矩形Ｆｂの縦長ｂｌ（又は横幅ｂｗ）が印刷予定輪郭Ｃｄに設定される外接矩形Ｆｄの縦長ｄｌ（又は横幅ｄｗ）よりも大きい場合の両者の差異を「α」で表しており、縦長ｂｌのみが「α」だけ差異がある場合を例示している。
また、図１６では、現状輪郭Ｃｂに設定される外接矩形Ｆｂの横幅ｂｗ（又は縦長ｂｌ）が印刷予定輪郭Ｃｄに設定される外接矩形Ｆｄの横幅ｄｗ（又は縦長ｄｌ）よりも小さい場合の両者の差異を「−α」で表しており、横幅ｂｗのみが「α」だけ差異がある場合を例示している。
【００４５】
ここで、「設定値」をどの程度とするかは適宜設定可能な事項であり、例えば、０．５ｍｍ〜１ｍｍ程度である。爪Ｔに印刷する場合、０．５ｍｍ〜１ｍｍ程度よりも下地領域Ｂがはみ出すと、当該領域に印刷した際に爪Ｔの周りの指Ｕ（指Ｕの皮膚）に付着するインク汚れが無視できない程度であると考えられる。なお、爪Ｔの大きさや形状によっては１ｍｍ以上下地領域Ｂがはみ出しても目立たない場合もあり得る。このため、「設定値」については、デフォルトとして０．５ｍｍ〜１ｍｍ程度との設定があっても事後的にユーザ等が調整・変更できるようにしておいてもよい。
また、横幅ｂｗの差異αの「設定値」を０．３ｍｍとし、縦長ｂｌの差異αの「設定値」は０．８ｍｍをする等、はみ出した際の目立ちやすさ等に応じて縦と横とで許容される「設定値」を変えてもよい。
さらに、爪Ｔの全域に全体用のネイルデザインＤａを施す場合（図１２、図１３参照）と、爪Ｔの一部分に部分用のネイルデザインＤｆを施す場合（図１４〜図１６参照）とで、許容される「設定値」を変えてもよい。
【００４６】
なお、輪郭比較判定部８１３が印刷予定輪郭Ｃｔ，Ｃｄと現状輪郭Ｃｂとを比較する手法は上記の手法に限定されない。
例えば、輪郭比較判定部８１３は、印刷予定輪郭Ｃｔ，Ｃｄに設定される外接矩形Ｆｔ，Ｆｄ及び現状輪郭Ｃｂである下地領域の輪郭に設定される外接矩形Ｆｂの縦長ｂｌ及び横幅ｂｗの縦横比を比較して、両者の縦横比が設定値以上異なる場合に差異が設定値以上であると判定してもよい。
縦横比が大きく異なっている場合、爪情報検出部８１２が、下地を塗布した後の現状輪郭Ｃｂの認識に失敗している可能性があり、このまま印刷を行うと正しい範囲に印刷を行うことができないおそれがある。
この場合の「設定値」は、例えば、現状輪郭Ｃｂに設定される外接矩形Ｆｂの縦横比（横幅ｂｗ分の縦長ｂｌ）と印刷予定輪郭Ｃｔ，Ｃｄに設定される外接矩形Ｆｔ，Ｆｄの縦横比（横幅ｔｗ，ｄｗ分の縦長ｔｌ，ｄｌ）とを比較したときの差異の程度が１０％程度である。なお、この場合も、上記と同様、「設定値」については、デフォルトとして１０％程度との設定があっても事後的にユーザ等が調整・変更できるようにしておいてもよい。
【００４７】
印刷データ生成部８１４は、爪情報検出部８１２により検出された爪情報に基づいて、印刷ヘッド４１により爪Ｔに施される印刷用のデータを生成する。
また、本実施形態では、印刷データ生成部８１４は、輪郭比較判定部８１３による判定結果に基づいて印刷領域を設定する。すなわち、印刷データ生成部８１４は、輪郭比較判定部８１３によって、印刷予定輪郭Ｃｔ，Ｃｄと現状輪郭Ｃｂとを比較した結果、設定値以上の差異がないと判定された場合に、現状輪郭Ｃｂの範囲内を印刷領域として設定する。そして、印刷データ生成部８１４は、この印刷領域に合うように、印刷用データを生成する。
【００４８】
具体的には、印刷データ生成部８１４は、爪情報検出部８１２により検出された現状輪郭Ｃｂに基づいてネイルデザインの画像データを拡大、縮小、切出し等することにより爪Ｔの形状に合わせ込む合せ込み処理を行う。
さらに、印刷データ生成部８１４は、適宜補正を行って印刷対象面である爪Ｔの表面に印刷する印刷用データを生成する。
また、爪情報検出部８１２により爪Ｔの曲率等が取得されている場合には、印刷データ生成部８１４は、例えば爪Ｔの曲率に応じて爪Ｔの両端部における印刷濃度が低下しないように濃度調整を行う等の曲面補正を適宜行ってもよい。
【００４９】
印刷制御部８１５は、印刷データ生成部８１４によって生成された印刷用データに基づいて印刷部４０に制御信号を出力し、爪Ｔに対してこの印刷用データにしたがった印刷を施すように印刷部４０のＸ方向移動モータ４６、Ｙ方向移動モータ４８、印刷ヘッド４１等を制御する制御部である。
【００５０】
表示制御部８１６は、表示部２３を制御して、各種の表示画面を表示させるものである。
本実施形態では、表示制御部８１６は、例えば、指Ｕを撮影して得られた爪画像や、爪Ｔに印刷すべき画像（すなわち、「ネイルデザイン」）を選択するためのデザイン選択画面、デザイン確認用のサムネイル画像、各種の指示を表示させる指示画面等を表示部２３に表示させるようになっている。
本実施形態では、表示制御部８１６は、輪郭比較判定部８１３により判定された差異が設定値以上である場合に、現状の下地領域（すなわち、現状輪郭Ｃｂの範囲内）に印刷したのでは、ネイルデザインが正しく印刷されない可能性があることをユーザに報知する報知画面、警告画面等を表示部２３に表示させて、表示部２３を報知手段として機能させるようになっている。
また、輪郭比較判定部８１３により判定された差異が設定値以上である場合、表示制御部８１６は、現状輪郭Ｃｂの補正をユーザに促す表示画面や爪情報検出部８１２による認識結果を修正するための爪輪郭修正画面等を表示させるように表示部２３を制御してもよい。
【００５１】
次に、図１７〜図１９等を参照しつつ、本実施形態における印刷装置であるネイルプリント装置１による印刷方法について説明する。
【００５２】
本実施形態では、まず、事前にユーザがネイルプリント装置１の指固定機構３に指Ｕをセットし、撮影部５０による指Ｕの撮影を行う。これにより、図１７に示すように、爪画像が取得される（ステップＳ１）。
このとき左右の手の指Ｕを順次セットして両手の全１０指について撮影を行い、各指Ｕの爪画像を取得してもよい。この場合、順次指Ｕを設定位置にセットするようユーザに促す告知画面等が、表示部２３等に表示されてもよい。
【００５３】
例えば図４に示すような爪画像が取得されると、爪情報検出部８１２が爪領域の輪郭を検出し（図７参照）、登録輪郭Ｃｒとして記憶部８２に記憶させる（ステップＳ２）。
なお、このとき、検出結果である輪郭を爪画像に重畳して表示部２３に表示させる等により、検出結果についてユーザの確認を求めてもよい。また、検出結果を手動で修正したい場合には、表示部２３の表示画面上で正しい輪郭をペンでなぞる等により適宜修正できるようにしてもよい。この場合には、修正後の輪郭を登録輪郭Ｃｒとするようにデータが更新される。
なお、手動で輪郭が修正された場合には、手先のブレ等によって輪郭が滑らかとならない場合がある。このため、適宜各種の平滑化フィルタを適用したエッジの平滑化（スムージング，smoothing）処理等を行うことにより、輪郭が滑らかに繋がるように補正することが好ましい。平滑化フィルタとしては、例えば移動平均フィルタ、加重平均フィルタ、ガウシアンフィルタ等の各種フィルタを適用することができる。
【００５４】
また、表示制御部８１６は、表示部２３にデザイン選択画面を表示させ、ユーザは操作部２２の操作釦やタッチパネル２２２等を操作して、デザイン選択画面に表示された複数のネイルデザインの中から所望のネイルデザインを選択する。これにより、操作部２２から選択指示信号が出力されて、爪Ｔに印刷するネイルデザインとして一つのネイルデザインが選択される（ステップＳ３）。
以上によって、印刷前の事前準備が終了する。この事前準備は、実際にネイルプリントを行う直前に行われてもよいし、数日前、数か月前等に行われてもよく、ユーザの任意のタイミングで行われる。
【００５５】
このネイルプリント装置１により印刷を行う場合、制御装置８０は、まず、選択されているネイルデザインが爪全体用のものか否かを判断する（ステップＳ４）。
そして、ネイルデザインが爪全体用のものである場合（ステップＳ４；ＹＥＳ）には、全体デザインモードでの印刷処理が行われる（ステップＳ５、図１８参照）。他方、ネイルデザインが爪全体用のものでない場合（ステップＳ４；ＮＯ）には、部分デザインモードでの印刷処理が行われる（ステップＳ６、図１９参照）。
【００５６】
まず、全体デザインモードでの印刷処理（図１７のステップＳ５）は以下のように行われる。
すなわち、この場合には、ユーザが爪Ｔ全体に下地を塗布した上で指固定機構３に指Ｕをセットする。なお、爪全体用のネイルデザインＤａが選択されている場合に、爪Ｔ全体に下地を塗布して指Ｕをセットするように促す指示画面が表示部２３に表示されるようにしてもよい。
指Ｕがセットされると、図１８に示すように、爪Ｔ全体に下地が塗布された爪Ｔ（爪Ｔを含む指Ｕ）を撮影部５０により撮影して、例えば図９（ａ）や図１０（ａ）のような爪画像を取得する（ステップＳ１１）。
そして、爪情報検出部８１２が、下地の塗布された下地領域Ｂの輪郭を現状輪郭Ｃｂとして爪画像から検出する（ステップＳ１２、図９（ｂ）,図１０（ｂ）参照）。
【００５７】
輪郭比較判定部８１３は、全体デザインモードにおける印刷予定輪郭Ｃｔである登録輪郭Ｃｒを記憶部８２の爪情報記憶領域８２２から読み出して、これと、爪情報検出部８１２によって検出された現状輪郭Ｃｂとしての下地領域Ｂとを比較し、現状輪郭Ｃｂが印刷予定輪郭Ｃｔよりも小さいか否かを判定する（ステップＳ１３）。
本実施形態では、印刷予定輪郭Ｃｔ及び現状輪郭Ｃｂにそれぞれ外接矩形（すなわち、図１２及び図１３における印刷予定輪郭Ｃｔの外接矩形Ｆｔ、図１２及び図１３における現状輪郭Ｃｂの外接矩形Ｆｂ）が設定され、輪郭比較判定部８１３は、この外接矩形Ｆｔ，Ｆｂの横幅ｔｗ，ｂｗ、縦長ｔｌ，ｂｌを比較することで、印刷予定輪郭Ｃｔと現状輪郭Ｃｂとの大小を判定する。
【００５８】
現状輪郭Ｃｂが印刷予定輪郭Ｃｔよりも大きくない場合、すなわち、本実施形態では、現状輪郭Ｃｂが印刷予定輪郭Ｃｔと同程度かそれよりも小さい場合（ステップＳ１３；ＮＯ）には、印刷データ生成部８１４が、選択されている爪全体用のネイルデザインＤａを現状輪郭Ｃｂの範囲内、すなわち、下地領域Ｂにフィッティングし、適宜曲面補正等を行った上で、印刷用データを生成する（ステップＳ１４）。そして、印刷制御部８１５が印刷用データを印刷部４０に出力し、印刷用データに基づく印刷が行われる（ステップＳ１５）。
【００５９】
他方、現状輪郭Ｃｂ（現状輪郭Ｃｂの外接矩形Ｆｂ）が印刷予定輪郭Ｃｔ（印刷予定輪郭Ｃｔの外接矩形Ｆｔ）よりも大きい場合（ステップＳ１３；ＹＥＳ）には、表示部２３等にアラート表示等を行い、その旨をユーザに報知する（ステップＳ１６）。
アラート表示の仕方は特に限定されないが、例えば文字による表示であってもよいし、印刷予定輪郭Ｃｔと現状輪郭Ｃｂとを重畳表示させて、両者が合致する部分、はみ出している部分等を示してもよい。重畳表示させる場合には、はみ出している部分に色を付す等によってユーザに分かりやすく提示することが好ましい。
なお、アラートは表示に限定されず、例えば、図示しないランプを点灯、点滅させたり、図示しないスピーカーを備える場合には、音声案内等を行ってもよい。
なお、アラートを行った結果、ユーザが輪郭比較判定部８１３による判定結果を承認した場合には、はみ出し等にかかわらず、現状輪郭Ｃｂを印刷領域として印刷用データを生成し、印刷を行ってもよい。
また、現状輪郭Ｃｂが印刷予定輪郭Ｃｔとほぼ等しい場合以外、すなわち、現状輪郭Ｃｂが印刷予定輪郭Ｃｔよりも所定の値（設定値）以上大きい場合（はみ出している場合）のみならず、現状輪郭Ｃｂが印刷予定輪郭Ｃｔよりも所定の値（設定値）以上小さい場合（塗残しがある場合）にも、表示部２３等にアラート表示等を行い、その旨をユーザに報知してもよい。塗り残しがある場合には、下地を塗り足す等により現状輪郭Ｃｂが印刷予定輪郭Ｃｔとほぼ同じとなるように修正する。この場合、再度修正後の爪Ｔを撮影して爪画像を取得し、現状輪郭Ｃｂの検出をやり直してもよい。
【００６０】
また、アラートを出したときには、現状輪郭Ｃｂである下地領域Ｂの輪郭を補正するよう促す表示を表示部２３に行ってもよい（ステップＳ１７）。例えば現状輪郭Ｃｂ（現状輪郭Ｃｂの外接矩形Ｆｂ）が印刷予定輪郭Ｃｔ（印刷予定輪郭Ｃｔの外接矩形Ｆｔ）よりも大きいと判定されたのが、下地領域Ｂの誤認識等によるものである場合には、ユーザが現状輪郭Ｃｂを手動で修正できるようにしてもよい。この場合、表示部２３の表示画面上で下地領域Ｂの正しい輪郭をペンでなぞる等により適宜修正する。現状輪郭Ｃｂが修正された場合には、修正後の輪郭を現状輪郭Ｃｂとするようにデータが更新される。
なお、この場合も手動で修正された輪郭について適宜各種の平滑化フィルタを適用したエッジの平滑化処理等を行うことにより、輪郭が滑らかに繋がるように補正することが好ましい。
他方で、現状輪郭Ｃｂ（現状輪郭Ｃｂの外接矩形Ｆｂ）が印刷予定輪郭Ｃｔ（印刷予定輪郭Ｃｔの外接矩形Ｆｔ）よりも大きいと判定されたのが、ユーザによる下地塗布の失敗（はみ出し）である場合には、一旦指固定機構３から指Ｕを外して、除光液（リムーバ）等で下地のはみ出し領域Ｂ（Ｂｏ、図１０（ｂ）参照）を除去して現状輪郭Ｃｂが正しい下地領域Ｂとほぼ同じとなるように修正する。この場合、再度修正後の爪Ｔを撮影して爪画像を取得し、下地領域Ｂの輪郭（現状輪郭Ｃｂ）の検出をやり直してもよい。また、印刷予定輪郭Ｃｔと現状輪郭Ｃｂの重なっている部分を印刷領域として印刷用データを生成し、印刷を行ってもよい。
【００６１】
他方、部分デザインモードでの印刷処理（図１７のステップＳ６）は以下のように行われる。
すなわち、この場合には、図１９に示すように、制御装置８０は、例えば図１７のステップＳ２で検出された爪領域の輪郭（登録輪郭Ｃｒ）に、選択されている部分用のネイルデザインＤｆをフィッティングする（ステップＳ２１、図７参照）。
そして、図８（ａ）及び図８（ｂ）に示すように、印刷予定輪郭Ｃｄとしてフィッティングの結果であるネイルデザインＤｆの輪郭を検出する（ステップＳ２２）。
【００６２】
ユーザは、爪先部分等、ネイルデザインＤｆが配置される印刷予定輪郭Ｃｄに対応する範囲に下地を塗布した上で指固定機構３に指Ｕをセットする。なお、爪先部分等に下地を塗布して指Ｕをセットするように促す指示画面が表示部２３に表示されるようにしてもよい。
指Ｕがセットされると、爪先部分等、爪の一部分に下地が塗布された爪Ｔ（爪Ｔを含む指Ｕ）を撮影部５０により撮影して、例えば図１１（ａ）〜図１１（ｃ）のような爪画像を取得する（ステップＳ２３）。
そして、爪情報検出部８１２が、下地の塗布された下地領域Ｂの輪郭を現状輪郭Ｃｂとして爪画像から検出する（ステップＳ２４）。
【００６３】
輪郭比較判定部８１３は、印刷予定輪郭Ｃｄと、爪情報検出部８１２によって検出された現状輪郭Ｃｂとしての下地領域Ｂとを比較し、現状輪郭Ｃｂが印刷予定輪郭Ｃｄとほぼ等しいか否か、すなわち差異がないか、あるとしても設定値以内であるかを判定する（ステップＳ２５）。
現状輪郭Ｃｂが印刷予定輪郭Ｃｄとほぼ等しい場合（ステップＳ２５；ＹＥＳ、図１４参照）には、印刷データ生成部８１４が、選択されている部分用のネイルデザインＤｆを現状輪郭Ｃｂの範囲内、すなわち、下地領域Ｂにフィッティングし、適宜曲面補正等を行った上で、印刷用データを生成する（ステップＳ２６）。そして、印刷制御部８１５が印刷用データを印刷部４０に出力し、印刷用データに基づく印刷が行われる（ステップＳ２７）。
【００６４】
他方、現状輪郭Ｃｂ（現状輪郭Ｃｂの外接矩形Ｆｂ）が印刷予定輪郭Ｃｄ（印刷予定輪郭Ｃｄの外接矩形Ｆｄ）と比較したとき設定値以上差異がある場合（ステップＳ２５；ＮＯ）、すなわち、図１５に示すように、現状輪郭Ｃｂ（現状輪郭Ｃｂの外接矩形Ｆｂ）の方が設定値以上大きい場合や図１６に示すように、現状輪郭Ｃｂ（現状輪郭Ｃｂの外接矩形Ｆｂ）の方が設定値以上小さい場合には、表示部２３等にアラート表示等を行い、その旨をユーザに報知する（ステップＳ２８）。なお、アラート表示の仕方や、アラートの報知の手法について特に限定されないことは全体デザインモードの場合と同様である。
【００６５】
また、アラートを出したときには、全体デザインモードの場合と同様に、現状輪郭Ｃｂである下地領域Ｂの輪郭を補正するよう促す表示を表示部２３に行ってもよい（ステップＳ２９）。例えば現状輪郭Ｃｂ（現状輪郭Ｃｂの外接矩形Ｆｂ）が印刷予定輪郭Ｃｄ（印刷予定輪郭Ｃｄの外接矩形Ｆｄ）よりも大きい又は小さいと判定されたのが、下地領域Ｂの誤認識等によるものである場合には、ユーザが現状輪郭Ｃｂを手動で修正できるようにしてもよい。この場合、表示部２３の表示画面上で下地領域Ｂの正しい輪郭をペンでなぞる等により適宜修正する。現状輪郭Ｃｂが修正された場合には、修正後の輪郭を現状輪郭Ｃｂとするようにデータが更新される。
なお、この場合も手動で修正された輪郭について適宜各種の平滑化フィルタを適用したエッジの平滑化処理等を行うことにより、輪郭が滑らかに繋がるように補正することが好ましい。
他方で、現状輪郭Ｃｂ（現状輪郭Ｃｂの外接矩形Ｆｂ）が印刷予定輪郭Ｃｄ（印刷予定輪郭Ｃｄの外接矩形Ｆｄ）よりも大きい又は小さいと判定されたのが、ユーザによる下地塗布の失敗（はみ出しや塗残し）である場合には、一旦指固定機構３から指Ｕを外して、除光液（リムーバ）等で下地のはみ出し領域Ｂ（Ｂｏ、図１１（ｂ）参照）を除去したり、塗り残し領域Ｂｎに下地を塗り足したりして現状輪郭Ｃｂが正しい下地領域Ｂとほぼ同じとなるように修正する。この場合、再度修正後の爪Ｔを撮影して爪画像を取得し、下地領域Ｂの輪郭（現状輪郭Ｃｂ）の検出をやり直してもよい。
【００６６】
このように、本実施形態では、印刷予定輪郭Ｃｔ，Ｃｄと下地塗布後の現状輪郭Ｃｂ（爪Ｔ全体又は爪Ｔの一部分）とを比較して設定値以上ずれている場合にはユーザに報知するため、適宜対応して印刷を開始することができ、優れた仕上がりのネイルプリントを行うことができる。
【００６７】
以上のように、本実施形態によれば、印刷予定領域の輪郭として印刷予定輪郭Ｃｔ，Ｃｄと、印刷時点における印刷対象領域の輪郭として現状輪郭Ｃｂとを比較して、両者の差異がある場合にはユーザに報知するようになっている。
このため、誤った範囲に印刷領域が設定されている場合には、ユーザが印刷前に気付き、適宜対処することが可能となる。これにより、デザインが崩れたり、はみ出したりしたまま印刷されることを防止でき、ネイルプリントの失敗を未然に防いで、良好な印刷を行うことができる。
【００６８】
また、本実施形態において、印刷予定領域は、爪Ｔの表面である爪領域の全面又はその一部であり、現状輪郭Ｃｂは、爪Ｔの表面のうち下地が塗布された下地領域Ｂの輪郭である。
下地が塗布された状態の爪Ｔは比較的皮膚等との区別がつきやすく、正確な輪郭検出をしやすい反面、下地が手動で塗布される場合には下地の塗布範囲が適切でない場合もあり得る。下地の塗布に失敗している場合、下地領域として認識された範囲にそのままネイルプリントを施すと、本来印刷すべきでない部分にまで印刷領域が設定され、爪Ｔ以外の部分にまでインクが付着してしまうおそれがある。この点、本実施形態では、当初の印刷予定輪郭Ｃｔ，Ｃｄと下地領域Ｂ（現状輪郭Ｃｂ）とにずれがないかを簡易に確認することができ、ネイルプリントの失敗を防止することができる。
【００６９】
そして、当初の印刷予定輪郭Ｃｔ，Ｃｄと下地領域Ｂ（現状輪郭Ｃｂ）とを比較する場合に、印刷予定輪郭Ｃｔ，Ｃｄと現状輪郭Ｃｂとにそれぞれ外接矩形Ｆｔ，Ｆｄ，Ｆｂを設定し、この外接矩形Ｆｔ，Ｆｄ，Ｆｂ同士の縦長及び横幅を比較して、縦長及び横幅のいずれか一方でも下地領域Ｂの輪郭の方が設定値以上大きい場合には、差異が設定値以上であると判定するとしてもよい。
この場合、誤った範囲に印刷されることを防いで、良好なネイルプリントを行うことができる。
【００７０】
また、上記のように外接矩形Ｆｔ，Ｆｄ，Ｆｂを設定して当初の印刷予定輪郭Ｃｔ，Ｃｄと下地領域Ｂ（現状輪郭Ｃｂ）とを比較する場合に、この外接矩形Ｆｔ，Ｆｄ，Ｆｂの縦長及び横幅の縦横比を比較して、両者の縦横比が設定値以上異なる場合に差異が設定値以上であると判定するとした場合には、ネイルデザインが崩れる可能性のある場合にユーザに適切に報知することができる。
このため、ネイルプリントの失敗を未然に防ぐことができる。
また、外接矩形Ｆｔ，Ｆｄ，Ｆｂを設定して判定を行うため、輪郭の細部の差異を認識・比較する場合よりも簡易かつ迅速な処理で良好な印刷を実現することができる。
【００７１】
また、印刷予定領域が、爪Ｔの表面であってフレンチネイルを施す予定である爪先の領域である場合にも、本実施形態に示す手法によれば、下地がネイルデザインＤｆに対応する領域に過不足なく塗布されているかを簡易に判断することができる。
このため、下地を塗布する範囲を誤ってしまった場合等でも、印刷前に適切に対処することができる。
【００７２】
また、本実施形態では、輪郭比較判定部８１３により判定された差異が設定値以上である場合には、現状輪郭の補正をユーザに促す表示画面が表示部２３に表示される。
このため、ユーザが容易に補正動作を行うことができる。
【００７３】
なお、以上本発明の実施形態について説明したが、本発明は、かかる実施形態に限定されず、その要旨を逸脱しない範囲で、種々変形が可能であることは言うまでもない。
【００７４】
例えば、本実施形態では、輪郭比較判定部８１３が当初の印刷予定輪郭Ｃｔ，Ｃｄと下地領域Ｂ（現状輪郭Ｃｂ）とを比較する場合に、印刷予定輪郭Ｃｔ，Ｃｄと現状輪郭Ｃｂとにそれぞれ外接矩形Ｆｔ，Ｆｄ，Ｆｂを設定し、この外接矩形Ｆｔ，Ｆｄ，Ｆｂ同士の比較等を行う場合を例示したが、印刷予定輪郭Ｃｔ，Ｃｄと現状輪郭Ｃｂとに外接矩形Ｆｔ，Ｆｄ，Ｆｂを設定することは必須ではない。
輪郭比較判定部８１３は、印刷予定輪郭Ｃｔ，Ｃｄと現状輪郭Ｃｂとを輪郭データ同士で比較等してもよい。この場合には、両者の輪郭を構成する個々の点同士をパターンマッチング等の手法によって精緻に比較等することができ、印刷予定輪郭Ｃｔ，Ｃｄと現状輪郭Ｃｂとの差異やずれをより高精度に判定することができる。
【００７５】
また、本実施形態では、輪郭比較判定部８１３が外接矩形Ｆｔ，Ｆｄ，Ｆｂ同士の比較等を行う際に、外接矩形Ｆｔ，Ｆｄ，Ｆｂの縦長及び横幅を比較する場合を例示したが、比較する対象はこれに限定されず、例えば横幅のみであってもよい。
縦長は、経時的に爪が伸びること等によって変動することがあるが、横幅はほぼ変動しない。このため、当初の印刷予定輪郭Ｃｔ，Ｃｄと下地領域Ｂ（現状輪郭Ｃｂ）とで、その横幅が設定値以上変化している場合には、爪情報検出部８１２が輪郭の認識を誤った可能性が高いと判断できる。そこで、アラートを出して印刷前にユーザの確認を求めることが好ましい。
【００７６】
また、本実施形態では、現状輪郭Ｃｂが印刷対象領域（爪全体又は爪Ｔの一部分）として発色をよくする等のための白色等の下地が塗布された領域である場合を例示したが、下地が塗布されることは必須ではない。下地が塗布されない場合には、爪Ｔに何も塗らない、あるいは爪表面を滑らかにするための透明のベースコート等やインクを受容するインク受容体等が塗られた状態を印刷準備済の状態とする。
印刷時点での現状輪郭が当初認識され登録された登録輪郭Ｃｒと異なっている場合には、本発明を適用することができる。
例えば当初認識された指Ｕの爪Ｔ１が図２０（ａ）に示すように、縦長ｔｌ１、横幅ｔｗ１であり、印刷時点で認識された指Ｕの爪Ｔ２が図２０（ｂ）に示すように、縦長ｔｌ２、横幅ｔｗ２である場合、輪郭比較判定部８１３は、認識時点の異なる２つの爪Ｔ１、Ｔ２を比較し、差異が設定値以上であるか否かを判定してもよい。
【００７７】
例えば、爪Ｔは経時的に伸びていき、形状（特に縦長）が変化する。このため、当初登録輪郭Ｃｒを登録した時点でネイルデザインも選択し、爪領域に合わせ込む等して用意していた場合、印刷時点で当該合わせ込み後のネイルデザインから印刷用データを生成しようとするとネイルデザインの配置や構成が崩れてしまったり間延びしてしまったりするおそれがある。
この点、爪情報検出部８１２によって当初認識・登録された爪Ｔ１の輪郭（登録輪郭）がＣｒ１、印刷時点で認識された爪Ｔ２の輪郭（現状輪郭）がＣｒ２であり、それぞれに外接矩形Ｆｒ１，Ｆｒ２を設定した場合、現状輪郭Ｃｒ２の外接矩形Ｆｒ２の縦長ｒｌ２、横幅ｒｗ２がいずれも登録輪郭Ｃｒ１の外接矩形Ｆｒ１の縦長ｒｌ１、横幅ｒｗ１とほぼ等しいかこれよりも小さい場合（図２１参照）であれば、輪郭比較判定部８１３は、差異が設定値より小さいと判断し、そのまま印刷処理が続行される。
これに対して、現状輪郭Ｃｔ２の外接矩形Ｆｒ２の縦長ｒｌ２、横幅ｒｗ２のうちのいずれか一方でも登録輪郭Ｃｒ１の外接矩形Ｆｒ１の縦長ｒｌ１、横幅ｒｗ１よりも大きい場合（図２２参照）には、輪郭比較判定部８１３は、差異が設定値以上であると判定し、アラートを出す等、ユーザに注意喚起を促すようにしてもよい。
【００７８】
なお、輪郭比較判定部８１３は、登録輪郭Ｃｒ１と現状輪郭Ｃｒ２との比較を実際の輪郭形状等に基づいて比較・判定を行うものに限定されない。
例えば、ユーザについて爪Ｔの伸び方（１週間に何ｍｍ伸びる等）の傾向を登録しておき、登録輪郭Ｃｒ１が検出されてからの経過時間に応じて現状輪郭Ｃｒ２の形状（特に縦長、爪長）を予測し、ネイルデザインを合わせ込む上で無視できない程度に形状が変化している可能性がある場合にはアラートを出すようにしてもよい。
この場合、具体的には、設定値が１ｍｍであり、ユーザの爪Ｔが８日間で１ｍｍ伸びる傾向にある場合であれば、登録輪郭Ｃｒ１が検出されてから８日間以上経過していたら、輪郭比較判定部８１３は、差異が設定値以上であると判定し、アラートを出す等、ユーザに注意喚起を促す。
なお、爪Ｔの伸び方の傾向等は、同一のユーザでも指種ごとに設定されていてもよい。また、厳密にユーザごとの登録、設定等を行わなくても、年齢や性別等を登録することで、当該年齢や性別等に応じた爪Ｔの伸び方の傾向等が自動的に設定され、輪郭比較判定部８１３は、自動的に設定された傾向等に応じて、差異が設定値以上であるか否かを判定するようにしてもよい。
また、爪Ｔを切った場合には、当該情報も装置に入力することで、ユーザの登録情報に追加され、爪Ｔを切った時点で、爪Ｔの長さが初期状態にリセットされるようにしてもよい。
【００７９】
また、本実施形態では、ユーザが全体用のネイルデザインと部分用のネイルデザインの中から所望のネイルデザインを選択することで印刷処理のモードが切り替わるとしたが、これに限定されない。
例えば、ユーザが全体デザインモード又は部分デザインモードを選択することで、選択されたモードに合った印刷予定輪郭Ｃｔ，Ｃｄが表示部２３に表示されるとしてもよい。この場合には、部分デザインモードの選択時には印刷予定輪郭Ｃｄがユーザの所望の輪郭となるように、適宜調整が可能であることが好ましい。また、このような場合には、ネイルデザインの選択及び印刷予定輪郭Ｃｔ，Ｃｄへのフィッティングは、モード選択の直後でもよいし、下地領域の輪郭の比較後でもよいし、ネイルデザインの選択のみモード選択の直後に行いフィッティングは下地領域の比較後に行うのでもよい。
【００８０】
また、本実施形態では、爪全体にネイルデザインＤａを施す場合には、下地を塗布する前の段階ではネイルデザインＤａを爪Ｔに合わせ込む処理は行わず、初期状態の爪Ｔの輪郭Ｃｔを登録輪郭Ｃｒとして記憶部８２の爪情報記憶領域８２２に記憶させ、印刷予定輪郭Ｃｔである登録輪郭Ｃｒ又はこの印刷予定輪郭Ｃｔ（登録輪郭Ｃｒ）と接する外接矩形Ｆｔを現状輪郭Ｃｂと比較する場合を例示したが、爪全体にネイルデザインＤａを施す場合にも、下地を塗布する前の初期状態でネイルデザインＤａを爪Ｔに合わせ込む処理を行い、合わせ込まれた当該ネイルデザインＤａの輪郭を印刷予定輪郭として記憶部８２の爪情報記憶領域８２２に記憶させておいてもよい。
【００８１】
また、登録輪郭は、爪Ｔの輪郭そのものではなく、これの輪郭と接する外接矩形を登録輪郭として記憶部８２の爪情報記憶領域８２２に記憶させておいてもよい。
【００８２】
また、本実施形態では、部分デザインモードにおいて、下地領域の輪郭とデザインの輪郭が設定値以上差異がある際に、ユーザによる下地塗布の失敗（はみ出しや塗残し）が原因である場合には、下地のはみ出し領域Ｂ（Ｂｏ、図１１（ｂ）参照）を除去したり、塗り残し領域Ｂｎに下地を塗り足したりして現状輪郭Ｃｂが正しい下地領域Ｂとほぼ同じとなるように修正するとしたが、はみ出しが爪Ｔの幅方向でない場合（ｂｗがｄｗよりも大きくない場合）には、下地領域の輪郭に合わせてネイルデザインＤｆのフィッティングを再度行ってもよい。このようにすることで、例えば、現状輪郭Ｃｂの爪Ｔの根本側の輪郭が思いがけず波形となった場合にも、波形も合わせてネイルデザインとすることができる。
【００８３】
また、本実施形態では、ネイルデザイン記憶領域８２１、爪情報記憶領域８２２等が制御装置８０の記憶部８２内に設けられている場合を例としたが、これら各記憶領域は制御装置８０の記憶部８２（ＲＯＭ、ＲＡＭ）に設けられている場合に限定されず、別途記憶部が設けられていてもよい。
また、ネイルプリント装置１を外部の端末装置と連携させて、外部の端末装置に記憶されている情報を用いてもよい。
【００８４】
また、ネイルデザインの画像データは端末装置の記憶部に設けられていてもよいし、ネイルプリント装置１の記憶部に記憶されていてもよい。
また、ネットワーク回線等を介して接続可能なサーバ装置等にネイルデザインの画像データを記憶させておき、端末装置又はネイルプリント装置１がサーバ装置等にアクセスしてネイルデザインの画像データを参照可能に構成してもよい。
このようにすることで、より多くのネイルデザインの中から印刷するデザインを選択することが可能となる。
【００８５】
また、本実施形態では、ネイルプリント装置１が単体で印刷動作を完結できるように構成されている例を示したが、ネイルプリント装置１はここに示すようなものに限定されない。
例えば、ネイルプリント装置１が端末装置と連携して印刷システムを構成し、印刷開始指示の入力や、印刷領域（すなわち爪の領域）の検出、各種補正や印刷用データの生成等を端末装置側で行った上で、爪に印刷を行う印刷動作をネイルプリント装置１側で行うようにしてもよい。この場合には、各種指示を入力する操作部や表示部、印刷用データを生成する印刷データ生成部等を、ネイルプリント装置１と連携する端末装置側に設けて、端末装置の制御装置がこれらの機能を実現するようにしてもよい。
【００８６】
また、本実施形態では、ネイルプリント装置１がインクジェット方式で印刷を行う構成としたが、ネイルプリント装置１が印刷を行う手法はインクジェット方式に限定されない。
例えば、爪の表面にペン先を接触させて印刷を行う印刷用のペンを保持するペンホルダを備え、ペンを用いて印刷を行うようにしてもよい。また、本実施形態のようなインクジェット方式の印刷手段と印刷用のペンを保持するペンホルダとを両方備え、複数の印刷手段を用いて印刷を行う構成としてもよい。
【００８７】
また、ネイルプリント装置１に、印刷後にインクを乾燥させるためのヒータやファンを備える乾燥部が設けられていてもよい。
例えば、指待機部３５０等に乾燥部を設けることで、他の指の爪に印刷を行っている間に、印刷済みの爪を乾燥させることができ、ネイルプリントに要する時間を短縮することができる。
【００８８】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
印刷対象の印刷領域に印刷を施す印刷部と、
前記印刷対象と、前記印刷対象に隣接する非印刷対象と、を含む領域内の印刷準備済の状態の印刷対象領域の現状の輪郭である現状輪郭を検出する輪郭検出部と、
前記印刷対象の印刷が施される予定の印刷予定領域の輪郭である印刷予定輪郭と、前記現状輪郭と、を比較して設定値以上の差異があるか否かを判定する輪郭比較判定部と、
前記輪郭比較判定部により判定された差異が設定値以上である場合にユーザに報知する報知手段と、
を備えることを特徴とする印刷装置。
＜請求項２＞
前記印刷対象と前記非印刷対象は、それぞれ爪の表面と前記爪を有する指の表面であり、
前記印刷予定領域は、前記爪の表面の爪領域内の全面又はその一部の、ユーザが所望するネイルデザインに対応する領域であり、
前記印刷対象領域は、前記爪及び前記指の表面のうち下地が塗布された下地領域であって、
前記輪郭比較判定部は、前記印刷予定輪郭及び前記現状輪郭に設定される外接矩形の縦長及び横幅の縦横比を比較して、両者の縦横比が設定値以上異なる場合に前記差異が設定値以上であると判定することを特徴とする請求項１に記載の印刷装置。
＜請求項３＞
前記印刷対象と前記非印刷対象は、それぞれ爪の表面と前記爪を有する指の表面であり、
前記印刷予定領域は、前記爪の表面の爪領域内の全面又はその一部の、ユーザが所望するネイルデザインに対応する領域であり、
前記印刷対象領域は、前記爪及び前記指の表面のうち下地が塗布された下地領域であって、
前記輪郭比較判定部は、前記印刷予定輪郭及び前記現状輪郭に設定される外接矩形同士の縦長及び横幅を比較して、縦長及び横幅のいずれか一方でも前記下地領域の輪郭の方が設定値以上大きい場合には、前記差異が設定値以上であると判定することを特徴とする請求項１に記載の印刷装置。
＜請求項４＞
前記爪の爪情報を記憶する記憶部を更に備え、
前記記憶部は、前記輪郭検出部により検出された前記爪領域の輪郭を登録輪郭として記憶することを特徴とする請求項２又は請求項３に記載の印刷装置。
＜請求項５＞
前記印刷部の動作を制御する印刷制御部を更に備え、
前記印刷制御部は、前記印刷部に、前記輪郭比較判定部による判定結果に基づいて設定される前記印刷領域に印刷を施させることを特徴とする請求項１から請求項４のいずれか一項に記載の印刷装置。
＜請求項６＞
前記印刷予定領域は、爪の表面であってフレンチネイルを施す予定である爪先の領域であることを特徴とする請求項１から請求項５のいずれか一項に記載の印刷装置。
＜請求項７＞
前記輪郭比較判定部により判定された前記差異が設定値以上である場合に前記現状輪郭の補正をユーザに促す表示画面を表示させる表示部をさらに備えていることを特徴とする請求項１から請求項６のいずれか一項に記載の印刷装置。
＜請求項８＞
印刷対象の印刷領域に印刷を施す印刷装置の印刷方法であって、
前記印刷対象と、前記印刷対象に隣接する非印刷対象と、を含む領域内の印刷準備済の状態の印刷対象領域の現状の輪郭である現状輪郭を検出し、
前記印刷対象の印刷が施される予定の印刷予定領域の輪郭である印刷予定輪郭と、前記現状輪郭とを比較して設定値以上の差異があるか否かを判定して、
判定された前記差異が設定値以上である場合にユーザに報知することを特徴とする印刷方法。
【符号の説明】
【００８９】
１      ネイルプリント装置
４０    印刷部
５０    撮影部
４１    印刷ヘッド
８１    制御部
８２    記憶部
８１２  爪情報検出部
８１３  輪郭比較判定部
８１５  印刷制御部
８２２  爪情報記憶領域
【図１】
2020156576.tif 000003
【図２】
2020156576.tif 000004
【図３】
2020156576.tif 000005
【図４】
2020156576.tif 000006
【図５】
2020156576.tif 000007
【図６】
2020156576.tif 000008
【図７】
2020156576.tif 000009
【図８】
2020156576.tif 000010
【図９】
2020156576.tif 000011
【図１０】
2020156576.tif 000012
【図１１】
2020156576.tif 000013
【図１２】
2020156576.tif 000014
【図１３】
2020156576.tif 000015
【図１４】
2020156576.tif 000016
【図１５】
2020156576.tif 000017
【図１６】
2020156576.tif 000018
【図１７】
2020156576.tif 000019
【図１８】
2020156576.tif 000020
【図１９】
2020156576.tif 000021
【図２０】
2020156576.tif 000022
【図２１】
2020156576.tif 000023
【図２２】
2020156576.tif 000024